(57)【要約】【課題】フィルタと組み合わせる場合に、良好な意匠性を得られる障子を提供する。【解決手段】建具枠の内周側に収められ、見込方向の両側の空間を連通させるための通気路が内部に形成された戸体２４と、通気路に配置されるフィルタ２６と、を備え、戸体２４の外周面には、戸体２４の内部からフィルタ２６を出し入れするための出入口２４ｅが形成される。戸体が閉位置にあるとき、戸体を見込方向に見て戸体の出入口が見え難くなり、良好な意匠性を得られる。【選択図】図１１
2018111932.tif 000002
【特許請求の範囲】
【請求項１】
建具枠の内周側に収められ、見込方向の両側の空間を連通させるための通気路が内部に形成された戸体と、
前記通気路を通ろうとする異物を捕捉するためのフィルタと、を備え、
前記戸体の外周面には、前記戸体の内部から前記フィルタを出し入れするための出入口が形成される障子。
【請求項２】
前記戸体は、その幅方向の一端部が回動軸を介して前記建具枠に連結され、前記回動軸周りの回動を伴い開閉可能であり、
前記出入口は、前記戸体の外周面のうちの幅方向の他端部の側面に形成される請求項１に記載の障子。
【請求項３】
前記出入口を塞ぐ蓋を備え、
前記フィルタは、前記蓋と一体に設けられる請求項１または２に記載の障子。
【請求項４】
前記フィルタは、前記戸体の幅方向に長い長尺体であり、その長手方向の端部が前記蓋に固定される請求項３に記載の障子。
【請求項５】
前記出入口を塞ぐ蓋を備え、
前記蓋は、蓋本体と、前記蓋本体を前記出入口から引き出す方向の操作力を受けて前記蓋本体に伝達可能に設けられる操作部材と、を有する請求項１から４のいずれかに記載の障子。
【請求項６】
前記操作部材は、前記蓋本体の外面からの突出量を調整可能に構成される請求項５に記載の障子。
【請求項７】
前記操作部材は、前記蓋本体を前記戸体に締結するための締結具である請求項５または６に記載の障子。
【請求項８】
前記フィルタは、前記通気路を仕切る仕切壁部と、前記仕切壁部に形成される複数の通気穴とを有する押出成形品である請求項１から７のいずれかに記載の障子。
【請求項９】
建具枠の内周側に収められ、見込方向の両側の空間を連通させるための通気路が内部に形成された戸体と、
前記通気路を通ろうとする異物を捕捉するためのフィルタと、を備え、
前記フィルタは、前記戸体の外周面に取り付けられる障子。
【請求項１０】
前記通気路は、
前記戸体の見込方向の一方側に臨む側面に形成され、前記見込方向の一方側の空間との間で空気が出入り可能な第１通気孔と
前記戸体の外周面に形成され、前記見込方向の他方側の空間との間で空気が出入り可能な第２通気孔とを有する請求項１から９のいずれかに記載の障子。
【発明の詳細な説明】
【技術分野】
【０００１】
本発明は、建具に用いられる障子に関する。
【背景技術】
【０００２】
近年、建具が隔てる室内空間と室外空間の間での換気を目的として、戸体の内部に室内外を連通させるための通気路を設けた障子が提案されている。このような障子として、特許文献１には、戸体の通気路に虫や塵埃等の異物を捕捉するためのフィルタを配置したものが開示されている。
【先行技術文献】
【特許文献】
【０００３】
【特許文献１】特開２０１４−６２３７５号公報
【発明の概要】
【発明が解決しようとする課題】
【０００４】
フィルタへの異物の付着量が多くなると、フィルタの目詰まりの原因となるため、定期的にフィルタのメンテナンスが必要となる。このため、特許文献１の障子では、戸体の見込方向の室内側にある室内側面にフィルタを出し入れするための出入口を形成している。本発明者は、特許文献１の障子に関して検討したところ、意匠性の観点から改善の余地があるとの認識を得た。
【０００５】
本発明は、このような課題に鑑みてなされ、その目的は、フィルタと組み合わせる場合に、良好な意匠性を得られる障子を提供することにある。
【課題を解決するための手段】
【０００６】
本発明の第１態様は障子である。第１態様の障子は、建具枠の内周側に収められ、見込方向の両側の空間を連通させるための通気路が内部に形成された戸体と、前記通気路を通ろうとする異物を捕捉するためのフィルタと、を備え、前記戸体の外周面には、前記戸体の内部から前記フィルタを出し入れするための出入口が形成される。
【０００７】
第１態様によれば、戸体が閉位置にあるとき、戸体を見込方向に見て戸体の出入口が見え難くなり、良好な意匠性を得られる。
【０００８】
本発明の第９態様は障子である。第９態様の障子は、建具枠の内周側に収められ、見込方向の両側の空間を連通させるための通気路が内部に形成された戸体と、前記通気路を通ろうとする異物を捕捉するためのフィルタと、を備え、前記フィルタは、前記戸体の外周面に取り付けられる。
【０００９】
第９態様によれば、戸体の内部からフィルタを出し入れするための出入口が不要となる。また、戸体が閉位置にあるとき、戸体の見込方向の側面にフィルタを取り付ける場合と比べて、戸体を見込方向に見てフィルタが見え難くなる。これらが相まって、良好な意匠性を得られる。
【図面の簡単な説明】
【００１０】
【図１】第１実施形態の障子が用いられる建具を示す平面断面図である。
【図２】第１実施形態の障子を室内側から見た図である。
【図３】第１実施形態の障子を室外側から見た図である。
【図４】第１実施形態の障子の分解斜視図である。
【図５】第１実施形態の戸体の下部を周辺構造とともに示す側面断面図である。
【図６】第１実施形態の取付枠体を室内側から見た斜視図である。
【図７】図５の一部の拡大図である。
【図８】第１実施形態の第１フィルタ、蓋及び下框材の斜視図である。
【図９】第１実施形態の第１フィルタの平面図である。
【図１０】第１実施形態の戸体の戸先側端部の下端部を示す斜視図である。
【図１１】第１実施形態の戸体の戸先側端部の下端部を示す正面断面図である。
【図１２】第１実施形態の第１締結具の雄ねじ部を雌ねじ部から抜き出した状態を示す図である。
【図１３】第１実施形態の蓋を出入口から引き出した状態を示す図である。
【図１４】第１実施形態の戸体を模式的に示す平面図である。
【図１５】第１実施形態の開位置にある開閉装置を室外側から見た図である。
【図１６】第１実施形態の閉位置にある開閉装置を室外側から見た他の図である。
【図１７】第１実施形態の繋ぎ部材の一部の拡大図である。
【図１８】第１実施形態の温度ヒューズが溶融した状態を示す図である。
【図１９】第１実施形態のカバーパネルと第２フィルタを室内側から見た図である。
【図２０】第１実施形態のカバーパネルと第２フィルタを室外側から見た図である。
【図２１】第１実施形態の操作装置の斜視図である。
【図２２】第１実施形態の操作装置の側面断面図である。
【図２３】第１実施形態の操作装置を模式的に示す側面図である。
【図２４】第１実施形態のワイヤーと周辺構造を模式的に示す図である。
【図２５】図４の矢視Ｑから戸体を見た図である。
【図２６】図４の矢視Ｑから戸体を見た他の図である。
【図２７】第２実施形態の障子を図７と同様の視点から見た図である。
【発明を実施するための形態】
【００１１】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１２】
（第１の実施の形態）
図１は、第１実施形態の障子１４が用いられる建具１０を示す平面断面図である。建具１０は、建具枠１２と、障子１４を備える。建具枠１２は、建物に形成される建物開口部１６の内周側に配置され、建物開口部１６にビス等により固定される。障子１４は、建具枠１２の内周側に収められ、建物開口部１６を開閉可能である。障子１４は、建物開口部１６を完全に閉じる閉位置にあるとき、見込方向Ｘの一方側の第１空間１８と他方側の第２空間２０を隔てている。ここでの見込方向Ｘとは、閉位置にある障子１４を正面から見たときの奥行方向をいう。本例では、第１空間１８が室内空間１８となり、第２空間２０が室外空間２０となる。以下、見込方向Ｘの一方側を室内側といい、見込方向Ｘの他方側を室外側という。
【００１３】
建具枠１２は、矩形状に枠組みされた複数の建具枠材を有する。建具枠１２と閉位置にある障子１４との間には環状に気密材２２が配置され、これらの間は気密材２２によりシールされる。
【００１４】
図２は、障子１４を室内側から見た図であり、図３は、障子１４を室外側から見た図であり、図４は、障子１４の分解斜視図である。障子１４は、主に、戸体２４と、第１フィルタ２６と、蓋２８とを備える。
【００１５】
（戸体２４）
図１に示すように、本実施形態の障子１４は単数の戸体２４を有する。戸体２４は、建具枠１２の内周側に収められる。戸体２４の幅方向Ｙの一方側の端部２４ａは、上下に延びる回動軸３０を介して建具枠１２に連結される。本実施形態の回動軸３０は蝶番の一部として組み込まれる。ここでの戸体２４の幅方向Ｙとは、戸体２４を見込方向Ｘに見て左右に延びる水平方向をいう。以下、戸体２４の幅方向Ｙの一方側（図１中左側）を戸尻側といい、他方側（図１中右側）を戸先側という。
【００１６】
戸体２４は、回動軸３０周りの回動を伴い建物開口部１６を開閉可能である。詳しくは、戸体２４は、回動軸３０周りの回動を伴い外開き可能である。ここでの外開きとは、戸体２４の戸先側端部２４ｂが室外側に向かって動くことで開くことをいう。
【００１７】
図５は、戸体２４の下部を周辺構造とともに示す側面断面図である。図４、図５に示すように、戸体２４は、主に、框体３２と、室内側表面板３４（第１表面板）と、室外側表面板３６（第２表面板）と、取付枠体３８とを有する。
【００１８】
框体３２は、矩形状に枠組みされた複数の框材を有する。框材には、上框材３２Ａと、下框材３２Ｂと、左右の縦框材３２Ｃとが含まれる。框材は、アルミニウム等の金属を素材とする押出成形品である。本実施形態の框材は、溝形の断面形状をもつ長尺体である。
【００１９】
室内側表面板３４と室外側表面板３６は、金属を素材とするプレス成形品、つまり、一体成形品である。室内側表面板３４は、框体３２の室内側に配置され、框体３２にビス等により取り付けられる。室内側表面板３４は、見込方向Ｘの室内側に臨む矩形状の室内側面２４ｃ（第１側面）を形成する第１主板部３４ａと、第１主板部３４ａの四周の外周縁部から室外側に延びる第１周板部３４ｂと、を有する。
【００２０】
室外側表面板３６は、框体３２の室外側に配置され、框体３２にビス等により取り付けられる。室外側表面板３６は、見込方向Ｘの室外側に臨む矩形状の室外側面（第２側面）を形成する第２主板部３６ａと、第２主板部３６ａの四周の外周縁部から室内側に延びる第２周板部３６ｂとを有する。
【００２１】
第１主板部３４ａは框体３２を室内側から覆い、第２主板部３６ａは框体３２を室外側から覆う。第１周板部３４ｂと第２周板部３６ｂとは互いの先端部が突き合わせられており、框体３２を外周側から覆う。第１周板部３４ｂと第２周板部３６ｂの外周面は戸体２４の四辺の外周面を形成している。戸体２４の内部には室内側表面板３４、室外側表面板３６、框体３２により囲まれた中空構造が設けられる。
【００２２】
図６は、取付枠体３８を室内側から見た斜視図である。取付枠体３８は、開閉装置５８（後述する）等の固定先となる。取付枠体３８は、戸体２４の下部の内部に配置される。詳しくは、取付枠体３８は、框体３２の下部の内周側に配置される。取付枠体３８は、矩形状に枠組みされた複数の枠材を有する。枠材には、上枠材３８Ａと、下枠材３８Ｂと、左右の縦枠材３８Ｃとが含まれる。取付枠体３８の室外側に臨む面には接着等により裏板４０が取り付けられる。裏板４０は、取付枠体３８の内周側空間を室外側から覆う。取付枠体３８は、図５に示すように、下框材３２Ｂに載せられたうえで接着テープ等により下框材３２Ｂに固定される。裏板４０は、室外側表面板３６に裏側から当接する。
【００２３】
戸体２４の内部には、室内空間１８と室外空間２０を連通させるための通気路４２が形成される。通気路４２は、戸体２４の下部の内部に形成される。通気路４２は、取付枠体３８に囲まれた箇所や、取付枠体３８の下枠材３８Ｂと下框材３２Ｂとに挟まれた箇所に形成される。本図では通気路４２を通る空気の流通経路を一点鎖線Ｐａで示す。
【００２４】
通気路４２は、室内空間１８と通気路４２の間で空気が出入りするための第１通気孔４２ａと、室外空間２０と通気路４２の間で空気が出入りするための第２通気孔４２ｂとを有する。本実施形態の第１通気孔４２ａは、図４、図５に示すように、戸体２４の室内側面２４ｃに形成される。本実施形態の第１通気孔４２ａは見込方向Ｘに見て矩形状を呈する。第１通気孔４２ａは開閉装置５８により開閉される。
【００２５】
図７は、図５の一部の拡大図である。本実施形態の第２通気孔４２ｂは、戸体２４の四辺の外周面のうちの下面２４ｄに形成されている。詳しくは、第２通気孔４２ｂは、室内側表面板３４の下側の第１周板部３４ｂや室外側表面板３６の下側の第２周板部３６ｂに形成される。第２通気孔４２ｂは、戸体２４の幅方向Ｙに沿って延びる長孔であり、戸体２４の下面２４ｄに幅方向Ｙに間を空けて複数形成される。
【００２６】
下框材３２Ｂや下枠材３８Ｂには通気路４２の一部となる貫通孔４４が形成される。本実施形態の貫通孔４４は、第２通気孔４２ｂと上下に重なる位置に形成され、第２通気孔４２ｂと同様に戸体２４の幅方向Ｙに沿って延びる長孔である。
【００２７】
戸体２４の内部には第１フィルタ２６を収容するためのフィルタ収容室４６が設けられる。本実施形態のフィルタ収容室４６は下框材３２Ｂと下枠材３８Ｂとの間に通気路４２の一部として設けられる。図８は、第１フィルタ２６、蓋２８及び下框材３２Ｂの斜視図である。フィルタ収容室４６は、戸体２４の下部、詳しくは、戸体２４の下端部にて戸体２４の幅方向Ｙに広がるように設けられる。本実施形態のフィルタ収容室４６の戸先側端部（図８中右下側端部）は蓋２８により画定され、戸尻側端部（図８中左上側端部）は下框材３２Ｂの裏面から立ち上がる隔壁部材５０により画定される。
【００２８】
図７に示すように、フィルタ収容室４６の内下面、つまり、下框材３２Ｂの内下面は第１フィルタ２６を載置するためのフィルタ載置面４６ａとなる。また、フィルタ収容室４６のフィルタ載置面４６ａや内側面４６ｂは、戸体２４の幅方向Ｙに向かって平坦に延びている。
【００２９】
（第１フィルタ２６）
図９は、第１フィルタ２６の平面図である。図７〜図９に示すように、第１フィルタ２６は、戸体２４の通気路４２に配置される。詳しくは、第１フィルタ２６は、通気路４２の一部となるフィルタ収容室４６に配置される。第１フィルタ２６は、通気路４２を通ろうとする異物を捕捉するためのものであり、通気路４２内で第１通気孔４２ａから第２通気孔４２ｂに至る空気の流通経路Ｐａを横断するように配置される。第１フィルタ２６は、室内空間１８側の空間と室外空間２０側の空間とに通気路４２を仕切るように配置されることになる。
【００３０】
第１フィルタ２６は、戸体２４の幅方向Ｙに長い長尺体である。第１フィルタ２６は、アルミニウム等の金属又は樹脂を素材とする押出成形品、つまり、一体成形品である。第１フィルタ２６は、互いに見込方向Ｘに対向する一対の側壁部２６ａと、一対の側壁部２６ａを接続する仕切壁部２６ｂとを有する。一対の側壁部２６ａと仕切壁部２６ｂのそれぞれは板状をなし、第１フィルタ２６は全体としてＨ字状をなす。第１フィルタ２６は、一対の側壁部２６ａそれぞれがフィルタ載置面４６ａ上に載せられる。
【００３１】
仕切壁部２６ｂは、一対の側壁部２６ａそれぞれの上下方向での中間部に接続され、フィルタ載置面４６ａから間を空けて配置される。仕切壁部２６ｂは、前述のように、室内空間１８側の空間と室外空間２０側の空間とに通気路４２を仕切るためのものである。仕切壁部２６ｂの幅方向Ｙの寸法Ｌｂは、フィルタ収容室４６の幅方向Ｙの寸法Ｌａと同等の大きさに設定され、フィルタ収容室４６を幅方向Ｙの全長に亘り上下に仕切ることになる。仕切壁部２６ｂの上面部と一対の側壁部２６ａとの間の内隅部には第１締結具５２をねじ込むための締結穴２６ｃが形成される。
【００３２】
仕切壁部２６ｂには複数の第１通気穴２６ｄが形成される。本実施形態の第１通気穴２６ｄは見込方向Ｘに細長いスリット状をなし、複数の第１通気穴２６ｄは第１フィルタ２６の長手方向（戸体２４の幅方向Ｙ）に並べられる。
【００３３】
本実施形態の第１フィルタ２６は異物としての虫を捕捉するためのものである。これを実現するため、第１通気穴２６ｄの大きさは、虫を捕捉可能な予め定められた範囲の大きさに設定されている。詳しくは、本実施形態の第１通気穴２６ｄの大きさは、仕切壁部２６ｂの厚み方向に見て、第１通気穴２６ｄに内接する内接円の最大径が１．０ｃｍ以下となるように設定される。本実施形態ではスリット状の第１通気穴２６ｄの幅寸法が１．０ｃｍ以下となるように設定されている。
【００３４】
図１０は、戸体２４の戸先側端部２４ｂの下端部を示す斜視図であり、図１１は、その正面断面図である。戸体２４には、戸体２４の内部から第１フィルタ２６を出し入れするための出入口２４ｅが形成される。出入口２４ｅは、戸体２４の四辺の外周面のうちの戸先側側面２４ｆに形成される。詳しくは、戸体２４の戸先側側面２４ｆの下端部に形成される。第１フィルタ２６は、戸体２４の出入口２４ｅを通してフィルタ収容室４６と外部空間との間で出し入れ可能である。第１フィルタ２６は、フィルタ収容室４６の見込方向Ｘに対向する内側面４６ｂ（図７参照）やフィルタ載置面４６ａに対するスライドを伴い、戸体２４の出入口２４ｅから出し入れされる。戸体２４の戸先側端部２４ｂの下面２４ｄには、戸体２４の戸先側側面２４ｆから戸尻側端部２４ａ側（図１１中左側）に向かって切り欠いた切欠２４ｇが形成される。切欠２４ｇは戸体２４の出入口２４ｅと連続している。
【００３５】
（蓋２８）
蓋２８は、戸体２４の出入口２４ｅを塞いでいる。本実施形態の蓋２８は第１フィルタ２６とは別部材により構成される。蓋２８は、蓋本体２８ａと、第１締結具５２とを有する。
【００３６】
図１１に示すように、戸体２４は、さらに、框体３２と蓋２８とを連結するための連結部材５４を有する。連結部材５４は、框体３２の縦框材３２Ｃに固定される框固定部５４ａと、蓋２８が固定される蓋固定部５４ｂとを有する。框固定部５４ａは板状をなし、縦框材３２Ｃの外面に重ね合わせられた状態でビス５４ｃにより固定される。蓋固定部５４ｂは板状をなし、框固定部５４ａより戸体２４の幅方向Ｙの内側に配置される。蓋固定部５４ｂには戸体２４の幅方向Ｙに貫通する雌ねじ孔５４ｄが形成される。
【００３７】
蓋本体２８ａは、側壁部２８ｂと、下壁部２８ｃとを有する。蓋本体２８ａは、金属等を素材として、各部位が一体的に構成された一体成形品である。
【００３８】
側壁部２８ｂは、戸体２４の戸先側側面２４ｆの出入口２４ｅを塞いでいる。側壁部２８ｂの外面は戸体２４の戸先側側面２４ｆと面一となるように設けられる。側壁部２８ｂには第１締結具５２を挿通するための挿通穴２８ｄが形成される。挿通穴２８ｄは蓋本体２８ａの外面側に向かって拡径するテーパー状をなす。側壁部２８ｂの裏面には第１フィルタ２６の長手方向の端部が突き当てられる。第１フィルタ２６は、蓋本体２８ａの側壁部２８ｂを貫通するとともに、第１フィルタ２６の締結穴２６ｃにねじ込まれるビス等の第２締結具５６を用いて、その長手方向の端部が蓋本体２８ａに固定される。第１フィルタ２６は蓋２８と一体に設けられることになる。
【００３９】
下壁部２８ｃは、側壁部２８ｂの下端部から戸体２４の戸尻側（図１１中左側）に向かって延びている。下壁部２８ｃは、戸体２４の下面２４ｄの切欠２４ｇを塞いでいる。下壁部２８ｃの外面は戸体２４の下面２４ｄと面一となるように設けられる。
【００４０】
第１締結具５２は、頭部５２ａと、軸部５２ｂとを有する。頭部５２ａには、ドライバー等の工具を係合させて第１締結具５２を回転させるための工具係合穴５２ｃが設けられる。頭部５２ａは座面が截頭円錐状をなす。頭部５２ａは軸部５２ｂ寄りの部分を含む大部分が挿通穴２８ｄに収められる。
【００４１】
軸部５２ｂは、蓋本体２８ａの側壁部２８ｂを貫通している。軸部５２ｂは、先端側の雄ねじ部５２ｄと、雄ねじ部５２ｄより頭部５２ａ側の小径部５２ｅとを有する。連結部材５４の雌ねじ孔５４ｄには第１締結具５２の雄ねじ部５２ｄがねじ込まれ、第１締結具５２を締め付けることで連結部材５４と蓋本体２８ａとが締結される。蓋２８は第１締結具５２により戸体２４に着脱可能に固定されることになる。
【００４２】
図１２は、第１締結具５２の雄ねじ部５２ｄを雌ねじ孔５４ｄから抜き出した状態を示す図である。この状態にあるとき、戸体２４に対する第１締結具５２の固定状態が解除される。このとき、第１締結具５２の軸部５２ｂは、蓋本体２８ａの挿通穴２８ｄに対して挿抜方向に移動可能に支持される。
【００４３】
小径部５２ｅは、雄ねじ部５２ｄのねじ山の外径より小径である。本実施形態の小径部５２ｅはねじ山が外周面に形成されない無ねじ部である。雄ねじ部５２ｄと小径部５２ｅの間には頭部５２ａ側に臨む段差部５２ｆが設けられる。小径部５２ｅにはＥリング等の止め輪のような抜け止め部材５２ｇが着脱可能に装着される。抜け止め部材５２ｇは、第１締結具５２が蓋本体２８ａの挿通穴２８ｄから抜けようとしたとき、蓋本体２８ａの側壁部２８ｂの裏面と第１締結具５２の段差部５２ｆとの間に挟み込まれる。これにより、抜け止め部材５２ｇは、第１締結具５２の挿通穴２８ｄからの抜けを規制する役割を果たす。
【００４４】
第１締結具５２は、戸体２４に対する固定状態を解除したとき、蓋本体２８ａの外面２８ｅから頭部５２ａの座面が幅方向Ｙの外側に離れた位置に配置され、蓋本体２８ａの挿通穴２８ｄから頭部５２ａが抜け出ている。このとき、第１締結具５２は、蓋本体２８ａの外面２８ｅから幅方向Ｙの外側に大きく突出している。一方、第１締結具５２は、戸体２４に対して固定状態にあるとき、蓋本体２８ａの外面２８ｅからの突出量が小さくなり、蓋本体２８ａの挿通穴２８ｄに頭部５２ａが収められる。このとき、第１締結具５２の頭部５２ａの先端面は蓋本体２８ａの外面２８ｅと連なるように設けられる。このように、第１締結具５２は、蓋本体２８ａの外面２８ｅからの突出量を調整可能に構成される。
【００４５】
図１３は、蓋２８を出入口２４ｅから引き出した状態を示す図である。第１締結具５２は、戸体２４に対する固定状態を解除したとき、蓋本体２８ａを出入口２４ｅから引き出す引出方向Ｐｂの操作力を受けると、その操作力を抜け止め部材５２ｇを介して蓋本体２８ａに伝達可能である。つまり、第１締結具５２は、引出方向Ｐｂの操作力を受けて蓋本体２８ａに伝達可能に設けられる。ここでの引出方向Ｐｂとは戸体２４の幅方向Ｙの外側に向かう方向である。本実施形態の蓋本体２８ａは、この引出方向Ｐｂの操作力を受けて戸体２４の出入口２４ｅから第１フィルタ２６とともに引き出される。このように、第１締結具５２は、戸体２４の出入口２４ｅから蓋本体２８ａを引き出すとき、作業者により操作される操作部材として機能する。本実施形態の第１締結具５２は、作業者が頭部５２ａを摘まんだ状態で引出方向Ｐｂに操作される。
【００４６】
以上の障子１４を用いた第１フィルタ２６のメンテナンスの手順を説明する。ここでのメンテナンスとは、第１フィルタ２６の清掃、交換、点検等を目的とする作業をいう。
【００４７】
図１４は、戸体２４を模式的に示す平面図である。まず、戸体２４の出入口２４ｅから第１フィルタ２６を引き出すスペースを確保できるように、戸体２４を開方向Ｐｃに動かす。戸体２４の開き量は戸体２４の幅方向Ｙでの延長線上に第１フィルタ２６を配置できるスペースが設けられるように調整する。戸体２４の開き量を調整したら、その調整後の開き量で保持されるように、ドアストッパ等の位置保持具を用いて戸体２４の位置を保持する。
【００４８】
次に、図１２に示すように、蓋２８の戸体２４に対する固定状態を解除する。本実施形態では、第１締結具５２を緩め、第１締結具５２の雄ねじ部５２ｄを連結部材５４の雌ねじ孔５４ｄから抜き出すことで、戸体２４に対する第１締結具５２の固定状態を解除する。
【００４９】
この後、図１３に示すように、第１締結具５２の頭部５２ａに引出方向Ｐｂの操作力を付与し、蓋本体２８ａとともに第１フィルタ２６を戸体２４の出入口２４ｅから引き出す。戸体２４の内部から第１フィルタ２６の全体を引き出したら、第１フィルタ２６のメンテナンスをする。
【００５０】
この後、戸体２４の出入口２４ｅから奥側に向けてメンテナンス済みの第１フィルタ２６を押し込むことで、戸体２４のフィルタ収容室４６に第１フィルタ２６を配置する。このとき、第１フィルタ２６には蓋２８を固定しておく。この後、第１締結具５２を連結部材５４の雌ねじ孔５４ｄにねじ込み、第１締結具５２を締め付けることで、戸体２４に蓋２８を固定する。
【００５１】
障子１４の効果を説明する。
本実施形態では、第１フィルタ２６を出し入れするための出入口２４ｅが戸体２４の外周面に形成される。よって、戸体２４が閉位置にあるとき、戸体２４を見込方向Ｘに見て戸体２４の出入口２４ｅや出入口２４ｅを塞ぐ蓋２８が見え難くなり、良好な意匠性を得られる。
【００５２】
本実施形態では、図１４に示すように、戸体２４の戸尻側端部２４ａが回動軸３０を介して建具枠１２に連結され、戸体２４の戸先側端部の側面に出入口２４ｅが形成される。よって、戸体２４を開方向に動かすことで、室内空間１８から離れた箇所に戸体２４の出入口２４ｅを配置できる。これに伴い、室内空間１８から離れた箇所を、戸体２４の出入口２４ｅを通して第１フィルタ２６を出し入れするための作業空間にできる。よって、第１フィルタ２６の出し入れに伴い第１フィルタ２６に付いた塵埃が飛散しても、その飛散範囲を室外空間２０にとどめ易くなり、室内空間１８での塵埃の堆積を防止できる。
【００５３】
本実施形態の第１フィルタ２６は戸体２４に着脱可能な蓋２８に固定される。よって、蓋２８の着け外しと同時に第１フィルタ２６を出入口２４ｅから出し入れできるようになり、第１フィルタ２６のメンテナンス時の作業性が良好になる。
【００５４】
また、第１フィルタ２６は蓋２８を介して戸体２４に固定されることになる。よって、室外空間２０側から通気路４２内に大流量の空気が入り込んだ場合でも、第１フィルタ２６の位置ずれが生じ難くなり、第１フィルタ２６を定位置に保ち易くなる。
【００５５】
また、第１フィルタ２６は長尺体であるため、第１フィルタ２６の長手方向に関する向きが所定の向きとなるように、戸体２４の内部に配置することを要する場合がある。たとえば、戸体２４の下面２４ｄの第２通気孔４２ｂが幅方向Ｙの一方側に偏った位置にあり、第１フィルタ２６の第１通気穴２６ｄが幅方向Ｙの他方側に偏った位置にある場合である。この場合、第１フィルタ２６の長手方向に関する向きを所定の向きとは逆向きに配置する組み違いが生じ得る。このような組み違えが生じると、上の例でいえば、第１フィルタ２６の第１通気穴２６ｄを通してスムーズに空気が流れ難くなり、その組み違いに起因する不具合が生じる。ここで、本実施形態では第１フィルタ２６の長手方向の端部に蓋２８が固定されるため、第１フィルタ２６の長手方向の向きに関する組み違えが生じ難くなる。よって、第１フィルタ２６の長手方向の向きに関する組み違いを防止でき、その組み違いに起因する不具合を防止できる。
【００５６】
また、蓋２８は、蓋本体２８ａと、引出方向Ｐｂの操作力を受けて蓋本体２８ａに伝達可能な第１締結具５２とを有する。よって、第１締結具５２をつまみとして利用することで、戸体２４の出入口２４ｅから蓋本体２８ａを引き出す作業をし易くなる。
【００５７】
また、第１締結具５２は蓋本体２８ａの外面からの突出量を調整可能である。よって、第１フィルタ２６のメンテナンス時には第１締結具５２の突出量を大きくすることで、第１締結具５２を摘まみ易くなる。また、第１フィルタ２６のメンテナンスの完了後、第１締結具５２の突出量を小さくすることで、第１締結具５２と周辺構造物（建具枠１２）との干渉を避けられる。
【００５８】
また、第１締結具５２は蓋本体２８ａを戸体２４に締結するためのものでもある。よって、第１締結具５２の機能として、蓋本体２８ａを戸体２４に固定する機能を持たせつつ、つまみとしての機能も持たせることができる。このため、それぞれの機能を別部品で実現するより部品点数を抑えられる。
【００５９】
（Ａ）また、第１フィルタ２６は同様の断面が長手方向に連続する押出成形品である。よって、第１フィルタ２６を長手方向に切断することで、第１フィルタ２６の長手寸法を容易に調整できる。複数種の幅寸法が異なる戸体２４に第１フィルタ２６を組み込む場合を考える。本実施形態では、予め用意しておいた単数種の第１フィルタ２６を切断することで、戸体２４の幅寸法によらず第１フィルタ２６を戸体２４に組み付けられるようになる。よって、複数種の幅寸法が異なる戸体２４との間で単数種の第１フィルタ２６を共用でき、管理すべき部品点数を抑えられる。
【００６０】
なお、蓋本体２８ａは、図１１に示すように、間隔保持部２８ｆを更に有する。間隔保持部２８ｆは、蓋本体２８ａの側壁部２８ｂの上端部から側壁部２８ｂの裏側に向けて突き出ている。間隔保持部２８ｆは、蓋本体２８ａを連結部材５４に締結するうえで、連結部材５４に当たることで、連結部材５４との間の間隔を保持する役割を持つ。これにより、側壁部２８ｂの外面と戸体２４の戸先側側面２４ｆとを面一にし易くなる。なお、同様の役割を果たすため、蓋本体２８ａの側壁部２８ｂと連結部材５４との間に板状のスペーサを挟み込んでもよい。
【００６１】
次に、障子１４の他の特徴を説明する。
図５、図６に示すように、取付枠体３８の室内側に臨む面の内周縁部には室外側に向かって窪む収容凹部３８ａが設けられる。収容凹部３８ａの内側は通気路４２の一部となる。収容凹部３８ａには、後述する開閉装置５８、カバーパネル７２、第２フィルタ７４が嵌め込まれた状態で収容される。収容凹部３８ａには、室内側に臨む当て面部３８ｂが設けられる。
【００６２】
（開閉装置）
障子１４は、更に、通気路４２を開閉するための開閉装置５８を備える。図１５及び図１６は、開閉装置５８を室外側から見た図である。図１５では、開閉装置５８の開閉部材６２（後述する）が開位置にあり、図１６では閉位置にある。
【００６３】
開閉装置５８は、通気部材６０と、開閉部材６２と、繋ぎ部材６４とを有する。通気部材６０と開閉部材６２は無双戸を構成する。通気部材６０は、複数の第２通気穴６０ａが形成された板状部材であり、開閉部材６２は、複数の第３通気穴６２ａが形成された板状部材である。
【００６４】
図５に示すように、通気部材６０と開閉部材６２は、戸体２４の通気路４２内に配置される。通気部材６０は、取付枠体３８の当て面部３８ｂに室内側から重ね合わせられ、その外周縁部を貫通するビス６５により当て面部３８ｂに固定される。
【００６５】
図１５、図１６に示すように、開閉部材６２は、通気部材６０の裏側に配置され、通気部材６０に対して上下にスライド可能に取り付けられる。通気部材６０には、開閉部材６２と当たることで上方へのスライド範囲を制限する上側ストッパ部材６０ｂと、開閉部材６２と当たることで下方へのスライド範囲を制限する下側ストッパ部材６０ｃとが取り付けられる。
【００６６】
開閉部材６２は、通気部材６０に対してスライドすることで、通気部材６０の第２通気穴６０ａを全開させる開位置と、第２通気穴６０ａを全閉させる閉位置との間を移動可能である。開閉部材６２は上側ストッパ部材６０ｂと当たるときに開位置にあり、下側ストッパ部材６０ｃと当たるときに閉位置にある。開閉部材６２が開位置にあるとき、通気部材６０の第２通気穴６０ａと開閉部材６２の第３通気穴６２ａとが見込方向Ｘに重なる位置に配置され、通気路４２が開かれた状態になる。開閉部材６２が閉位置にあるとき、通気部材６０と開閉部材６２により通気路４２が閉じられた状態になる。
【００６７】
繋ぎ部材６４は、開閉部材６２の裏側に配置される。図１７は、繋ぎ部材６４の一部の拡大図である。繋ぎ部材６４には操作装置８０のワイヤー９０（後述する）が挿通される挿通孔６４ａが形成される。ワイヤー９０の末端部には第１ワイヤーエンド９０ａが取り付けられる。ワイヤー９０の第１ワイヤーエンド９０ａは、繋ぎ部材６４と当たることで繋ぎ部材６４の挿通孔６４ａからの抜けを規制する。これにより、繋ぎ部材６４にはワイヤー９０（後述する）が繋がれる。本実施形態の開閉部材６２は、ワイヤー９０により繋ぎ部材６４とともに上昇させられることで開位置に移動し、自重により下降することで閉位置に移動する。
【００６８】
以上の開閉装置５８は、戸体２４に防火戸としての機能を発揮させるため、次のように構成される。
【００６９】
図１６に示すように、開閉部材６２の裏面には戸体２４の幅方向Ｙにスライド自在に繋ぎ部材６４を支持する一対のガイド部材６６が取り付けられる。繋ぎ部材６４は一対のガイド部材６６を介して開閉部材６２にスライド自在に支持されることになる。以下、スライド方向Ｐｄの一方側（図１６中右側）を右側とし、他方側（図１６中左側）を左側として説明する。
【００７０】
繋ぎ部材６４の右側部分はコイルばね等の付勢部材６８を介して開閉部材６２に接続される。付勢部材６８は、スライド方向Ｐｄに弾性的に伸び変形しており、その弾性反発力を用いて繋ぎ部材６４を右側に向けて付勢している。
【００７１】
繋ぎ部材６４の左側部分は温度ヒューズ７０を介して開閉部材６２に接続される。温度ヒューズ７０は、火災時に想定される所定の温度範囲に加熱されたときに溶融する性質を持つ。
【００７２】
繋ぎ部材６４の挿通孔６４ａには、ワイヤー９０に対する繋ぎ部材６４の右側への相対移動を許容するため、左側に向かって開く切欠部６４ｂ（図１７参照）が形成される。
【００７３】
図１８は、温度ヒューズ７０が溶融した状態を示す。火災時に温度ヒューズ７０が溶融した場合、繋ぎ部材６４は付勢部材６８の付勢力により右側に移動する。繋ぎ部材６４が右側に移動すると、繋ぎ部材６４の挿通孔６４ａからワイヤー９０が抜け出ることで、繋ぎ部材６４に対するワイヤー９０の繋ぎ状態が解除される。これに伴い、開閉部材６２はワイヤー９０により移動不能となり、自重により常に閉位置に保持される。これにより、戸体２４の通気路４２を通ろうとする火炎が開閉装置５８により遮断される。
【００７４】
（カバーパネル７２及び第２フィルタ７４）
図５に示すように、障子１４は、更に、カバーパネル７２と、第２フィルタ７４とを備える。カバーパネル７２と第２フィルタ７４は、戸体２４の通気路４２、詳しくは、通気路４２の一部となる収容凹部３８ａ内に配置される。カバーパネル７２は、戸体２４の第１通気孔４２ａを覆い塞ぐように配置される。
【００７５】
図１９は、カバーパネル７２と第２フィルタ７４を室内側から見た図である。カバーパネル７２には複数の第４通気穴７２ａが形成される。カバーパネル７２は、その外周縁部に挿通されるビス７６により、取付枠体３８の当て面部３８ｂに間を空けて固定される。
【００７６】
図２０は、カバーパネル７２と第２フィルタ７４を室外側から見た図である。第２フィルタ７４は、通気路４２を通ろうとする異物を捕捉するためのものである。第２フィルタ７４は、カバーパネル７２の裏側にて通気路４２での空気の流通経路を横断するように配置される。詳しくは、通気路４２の空気の流通経路となるカバーパネル７２の全ての第４通気穴７２ａを覆うように配置される。第２フィルタ７４は、異物としての塵埃を捕捉するためのメッシュフィルタである。第２フィルタ７４は、戸体２４の幅方向Ｙや上下方向に延びるシート状をなす。
【００７７】
第２フィルタ７４は、面ファスナー７８を用いてカバーパネル７２に取り付けられる。詳しくは、カバーパネル７２と第２フィルタ７４とには互いに対向する箇所に面ファスナー７８が取り付けられる。面ファスナー７８は、カバーパネル７２の第４通気穴７２ａを避けた箇所に取り付けられる。第２フィルタ７４は、カバーパネル７２との間で互いに面ファスナー７８同士を結合させることで、カバーパネル７２に着脱可能に取り付けられる。
【００７８】
（操作装置８０）
図４に示すように、障子１４は、更に、開閉装置５８の開閉状態を操作するための操作装置８０を備える。図２１は、操作装置８０の斜視図であり、図２２は、操作装置８０の側面断面図である。操作装置８０は、主に、ベース部材８２と、スライド部材８４と、ロック部材８６と、付勢部材８８と、ワイヤー９０と、を備える。ワイヤー９０の詳細は後述する。
【００７９】
ベース部材８２は、戸体２４の下部に固定されており、スライド部材８４やロック部材８６を支持している。ベース部材８２は、戸体２４に形成される取付孔２４ｈ内に室内側から差し込まれる差込部８２ａと、戸体２４の室内側面２４ｃに重ね合わせられる外板部８２ｂとを有する。
【００８０】
差込部８２ａは、戸体２４の幅方向Ｙに細く上下に長い筒状をなす。差込部８２ａは、戸体２４の幅方向Ｙに対向する一対の側壁部８２ａａと、上下に対向する上壁部８２ａｂ及び下壁部８２ａｃとを有する。一対の側壁部８２ａａは上壁部８２ａｂや下壁部８２ａｃより取付孔２４ｈの奥側に突出する突出箇所８２ａｄを有する。一対の側壁部８２ａａの突出箇所８２ａｄの間には上下に間を空けて二つの裏当て部８２ｃが設けられる。外板部８２ｂは、上下に長い矩形状を呈しており、ビス９２により戸体２４に固定される。
【００８１】
スライド部材８４は、ベース部材８２の上壁部８２ａｂ及び下壁部８２ａｃと裏当て部８２ｃの間に配置されるスライド部８４ａと、スライド部８４ａから室内側に突き出る一対の突出部８４ｂとを有する。スライド部８４ａは全体として板状をなしている。スライド部８４ａは、ベース部材８２の上壁部８２ａｂ、下壁部８２ａｃ、裏当て部８２ｃ、一対の側壁部８２ａａをガイドとして、これらに対して上下にスライド可能である。スライド部材８４は、ロック部材８６を介してベース部材８２に対して支持される。つまり、スライド部材８４は、ベース部材８２に対してスライド可能に支持される。スライド部８４ａの下端部にはワイヤー９０の一端部が固定される。
【００８２】
一対の突出部８４ｂは上下に間を空けて設けられる。一対の突出部８４ｂの間やスライド部８４ａには見込方向Ｘに貫通する挿通孔９４が設けられる。挿通孔９４は、スライド部８４ａに設けられる小孔部９４ａと、一対の突出部８４ｂの間に設けられる大孔部９４ｂとを有する。
【００８３】
図２３は、操作装置８０を模式的に示す側面図である。スライド部材８４は、ベース部材８２に対して上下方向にスライドすることで、図２３（ａ）に示すように、高位置にある第１スライド位置Ｓａ１と、図２３（ｂ）に示すように、低位置にある第２スライド位置Ｓａ２との間を移動可能である。
【００８４】
開閉装置５８の開閉部材６２は、スライド部材８４が第１スライド位置Ｓａ１にあるとき、開位置に配置される（図１５参照）。開閉部材６２は、スライド部材８４が第２スライド位置Ｓａ２にあるとき、閉位置に配置される（図１６参照）。スライド部材８４が第２スライド位置Ｓａ２から第１スライド位置Ｓａ１にスライドして上昇すると、ワイヤー９０が引き上げられることで、開閉部材６２が開位置まで上昇する。スライド部材８４が第１スライド位置Ｓａ１から第２スライド位置Ｓａ２にスライドして下降すると、ワイヤー９０の引き下げを伴い、開閉部材６２の自重により開閉部材６２が閉位置まで下降する。このように、スライド部材８４は、そのスライドに連動して開閉装置５８の開閉状態を切り替え可能である。
【００８５】
図２２に示すように、ロック部材８６は、スライド部材８４の挿通孔９４に挿抜方向Ｚに移動可能に挿通される。ロック部材８６は、スライド部材８４に対して移動可能に支持されることになる。ロック部材８６は、スライド部材８４の表側に配置される表側部材８６Ａと、スライド部材８４の裏側に配置される裏側部材８６Ｂとを有する。以下、ロック部材８６の挿抜方向Ｚのうち、挿通孔９４に表側から挿入される方向を挿入方向Ｚａとし、挿通孔９４から抜ける方向を抜き方向Ｚｂとする。
【００８６】
表側部材８６Ａは、筒状部８６ａと、筒状部８６ａの先端側に設けられる頭部８６ｂとを有する。ロック部材８６は、スライド部材８４の挿通孔９４の奥側に向けて頭部８６ｂを押し込むことで操作される。
【００８７】
裏側部材８６Ｂは、ブロック状の土台部８６ｃと、土台部８６ｃから室内側に向けて突き出る一対の弾性爪８６ｄとを有する。弾性爪８６ｄは、表側部材８６Ａの筒状部８６ａ内に挿通される。弾性爪８６ｄは、筒状部８６ａの開口周縁部に係合されることで、筒状部８６ａ内からの抜けが規制され、表側部材８６Ａと裏側部材８６Ｂが一体化される。弾性爪８６ｄは、表側部材８６Ａの筒状部８６ａ内に弾性的な撓み変形を伴い挿入されることで、筒状部８６ａの開口周縁部と係合可能な位置に設けられる。
【００８８】
裏側部材８６Ｂは、図２１に示すように、土台部８６ｃから戸体２４の幅方向Ｙに突き出る一対のピン部８６ｅとを有する。スライド部材８４の一対の側壁部８２ａａのそれぞれにはロック孔８２ｄが形成される。ロック孔８２ｄにはロック部材８６のピン部８６ｅが挿通される。ロック孔８２ｄはロック部材８６の挿入方向Ｚａ側に向かって開いた切欠孔である。ロック孔８２ｄは、抜き方向Ｚｂ側の上側に設けられた上側溝部８２ｅと、抜き方向Ｚｂ側の下側に設けられた下側溝部８２ｆとを有する。上側溝部８２ｅと下側溝部８２ｆは抜き方向Ｚｂ側に向かって窪んでいる。
【００８９】
図２２に戻る。付勢部材８８は、ロック部材８６の表側部材８６Ａの頭部８６ｂとスライド部材８４の大孔部９４ｂの底壁部との間に配置される。付勢部材８８は、ロック部材８６を挿通孔９４に押し込んだとき、ロック部材８６に押し込み前の位置に戻る付勢力を付与するためのものである。ロック部材８６は、付勢部材８８の付勢力に抗して押し込まれることになる。ロック部材８６は、押込力を付与していない場合、付勢部材８８の付勢力により土台部８６ｃが挿通孔９４の開口周縁部に当たることで初期位置に保持される。
【００９０】
ロック部材８６は、スライド部材８４の挿通孔９４に対する挿抜方向Ｚでの移動によって、図２３（ａ）に示すようなロック位置Ｓｂ１と、図２３（ｃ）に示すようなロック解除位置Ｓｂ２との間を移動可能である。ロック位置Ｓｂ１では、ロック部材８６のピン部８６ｅがロック孔８２ｄの上側溝部８２ｅ又は下側溝部８２ｆ内に配置される。ロック解除位置Ｓｂ２では、ロック部材８６のピン部８６ｅがロック孔８２ｄの溝部８２ｅ、８２ｆから抜け出て、ロック孔８２ｄの挿入方向Ｚａ側部分の内側に配置される。
【００９１】
図２３（ａ）に示すように、ロック部材８６がロック位置Ｓｂ１にあり、かつ、スライド部材８４が第１スライド位置Ｓａ１にあるとき、ロック部材８６のピン部８６ｅが上側溝部８２ｅ内に配置される。このとき、ピン部８６ｅが上側溝部８２ｅの溝側面と当たることにより、スライド部材８４のスライドがロックされるロック状態になる。
【００９２】
一方、ロック部材８６がロック解除位置Ｓｂ２にあるとき、ロック部材８６のピン部８６ｅが上側溝部８２ｅ又は下側溝部８２ｆから抜け出ており、スライド部材８４のスライドが許容されるロック解除状態になる。このように、ロック部材８６とロック孔８２ｄは、ロック状態とロック解除状態とを切り替え可能なロック機構９６を構成する。
【００９３】
これにより、ロック部材８６がロック位置にある場合、スライド部材８４を用いて開閉装置５８の開閉状態を切り替え難くなる。よって、誤操作により開閉装置５８の開閉状態が意図せず切り替わるのを防止できる。
【００９４】
以上の操作装置８０の他の特徴を説明する。
図２２に示すように、ロック部材８６の頭部８６ｂの外面には、スライド部材８４の挿通孔９４にロック部材８６を押し込むときに押圧される押圧面８６ｆが設けられる。ロック部材８６の押圧面８６ｆは、ロック状態からロック解除状態に切り替えるときに押圧される。押圧面８６ｆはロック機構９６の一部を構成する。
【００９５】
ロック部材８６の押圧面８６ｆは、使用者による押圧操作を受けるため、ロック解除位置Ｓｂ２からロック位置Ｓｂ１に向かう方向（抜き方向Ｚｂ）に臨んでいる。また、ロック部材８６の押圧面８６ｆは、スライド部材８４が第２スライド位置Ｓａ２から第１スライド位置Ｓａ１に向かう上向きの方向に臨んでいる。本実施形態の押圧面８６ｆは、抜き方向Ｚｂ及び上向きの方向に臨む平面状をなしている。この押圧面８６ｆは、ロック部材８６が初期位置にあるとき、第１突出部８４ｂの外面と面一となるように設けられる。
【００９６】
これにより、ロック部材８６の押圧面８６ｆを挿入方向Ｚａに押圧しようとするとき、挿入方向Ｚａに向かう力成分の他に、第１スライド位置Ｓａ１から第２スライド位置Ｓａ２に向かう下向きの力成分をロック部材８６の押圧面８６ｆに付与し易くなる。この結果、ロック部材８６の押圧面８６ｆに対する押圧方向を変えずとも、ロック部材８６をロック位置Ｓｂ１からロック解除位置Ｓｂ２に移動させつつ、スライド部材８４を第１スライド位置Ｓａ１から第２スライド位置Ｓａ２に移動させることができる。つまり、ロック部材８６のロック解除操作と、スライド部材８４を第１スライド位置Ｓａ１から第２スライド位置Ｓａ２にスライドさせる操作とを一操作で行うことができ、良好な操作性を得られる。
【００９７】
このような効果は、ベース部材８２を戸体２４の下部に固定した場合に効果的に得られる。戸体２４の下部にベース部材８２を固定した場合、ロック部材８６の押圧面８６ｆを挿入方向Ｚａに向けて押圧する操作者が、ロック部材８６の押圧面８６ｆに下向きの力成分を付与し易くなるためである。
【００９８】
図２３（ｂ）に示すように、ロック部材８６がロック位置Ｓｂ１にあり、かつ、スライド部材８４が第２スライド位置Ｓａ２にあるとき、ロック部材８６のピン部８６ｅがロック孔８２ｄの下側溝部８２ｆ内に配置される。ロック孔８２ｄの下側溝部８２ｆの溝側面のうち、スライド部材８４が第２スライド位置Ｓａ２から第１スライド位置Ｓａ１に向かう側（上側）にある溝側面８２ｇは、下側溝部８２ｆの底側から入口側に向かうにつれて溝幅を広げるように傾斜している。
【００９９】
ロック部材８６がロック位置Ｓｂ１にあり、スライド部材８４が第２スライド位置Ｓａ２にある場合に、ロック部材８６に第１スライド位置Ｓａ１に向かう上向きの外力を付与するときを考える。このような外力は、スライド部材８４の第２突出部８４ｂを介してロック部材８６に付与される。このとき、ロック部材８６のピン部８６ｅは、上向きの外力によって、下側溝部８２ｆの溝側面８２ｇによりロック位置Ｓｂ１からロック解除位置Ｓｂ２に向かう挿入方向Ｚａにガイドされる。本図ではロック部材８６のピン部８６ｅがガイドされることで動く経路を矢印Ｐｅで示す。ロック機構９６は、この条件を満たすように構成されるといえる。これにより、ロック部材８６のロック解除操作と、スライド部材８４を第２スライド位置Ｓａ２から第１スライド位置Ｓａ１にスライドさせる操作とを一操作で行うことができ、良好な操作性を得られる。
【０１００】
（ワイヤー９０）
図２４は、ワイヤー９０と周辺構造を模式的に示す図である。ワイヤー９０は、可とう性を持ち、スライド部材８４が受けた操作力を開閉装置５８に伝達するための伝達部材として機能する。ワイヤー９０は、開閉装置５８側の末端部に取り付けられる第１ワイヤーエンド９０ａと、操作装置８０側の末端部に取り付けられる第２ワイヤーエンド９０ｂとを有する。
【０１０１】
操作装置８０は、ワイヤー９０の他に、ワイヤー９０に関連する構成として、ワイヤー９０が挿通されるアウターケーブル９８を備える。アウターケーブル９８は可とう性をもつ筒状部材である。図２に示すように、アウターケーブル９８は、戸体２４の内部でのワイヤー９０の配索経路を定めるためのものである。アウターケーブル９８は、図４に示すように、戸体２４の内部に固定される遮炎部材１００（後述する）、繋ぎ枠材１０２、取付枠体３８の上枠材３８Ａの内部を経由するように配索される。この繋ぎ枠材１０２は、遮炎部材１００と上枠材３８Ａを繋いでいる。
【０１０２】
図２４に戻る。アウターケーブル９８の両端部の外周面には雄ねじ部９８ａ、９８ｂが形成されている。アウターケーブル９８の一端部の雄ねじ部９８ａには中央側から先端側にかけて順に第１固定ナット９８ｃと取付ナット９８ｄが螺合される。アウターケーブル９８の他端部の雄ねじ部９８ｂには中央側から先端側にかけて順に第２固定ナット９８ｅと第１調整ナット９８ｆと第２調整ナット９８ｇが螺合される。
【０１０３】
図１５に示すように、アウターケーブル９８の一端部は、戸体２４の内部に固定される第１ケーブル固定部材１０４に固定される。本実施形態の第１ケーブル固定部材１０４は開閉装置５８の上側ストッパ部材６０ｂである。第１ケーブル固定部材１０４にはアウターケーブル９８の一端部が挿通される。アウターケーブル９８の一端部は、取付ナット９８ｄの締め付けて、取付ナット９８ｄと第１固定ナット９８ｃの間に第１ケーブル固定部材を挟み込むことにより、第１ケーブル固定部材１０４に固定される。
【０１０４】
図２５は、図４の矢視Ｑから戸体２４を見た図である。戸体２４の戸先側側面２４ｆには点検孔１０６が形成され、その奥側にはアウターケーブル９８の端部が配置される。点検孔１０６は、室内側表面板３４や室外側表面板３６の周板部３４ｂ、３６ｂや、縦框材３２Ｃに形成される。図４に示すように、戸体２４には戸体２４の点検孔１０６を塞ぐ点検孔カバー１０８が取り付けられる。点検孔カバー１０８はビス等を用いて着脱可能に戸体２４に取り付けられる。
【０１０５】
図２５に示すように、アウターケーブル９８の他端部は、戸体２４の内部に固定される第２ケーブル固定部材１１０に固定される。第２ケーブル固定部材１１０は、後述する遮炎部材１００に固定される。第２ケーブル固定部材１１０にはアウターケーブル９８の他端部が挿通される。アウターケーブル９８の他端部は、第１調整ナット９８ｆ又は第２調整ナット９８ｇの締め付けにより、第１調整ナット９８ｆと第２調整ナット９８ｇの間に第２ケーブル固定部材１１０を挟み込むことにより、第２ケーブル固定部材１１０に固定される。
【０１０６】
操作装置８０を戸体２４に組み込む手順を説明する。
まず、ワイヤー９０の操作装置８０側の端部に第２ワイヤーエンド９０ｂを取り付け、その第２ワイヤーエンド９０ｂを介してスライド部材８４にワイヤー９０を接続する（図２１参照）。次に、戸体２４の取付孔２４ｈ（図４参照）にワイヤー９０を入れつつ、操作装置８０のベース部材８２等も取付孔２４ｈに差し込み、ベース部材８２を戸体２４にビスにより固定する。次に、戸体２４の内部の所定の配索経路上を通るようにワイヤー９０の開閉装置５８側の端部を動かし、そのワイヤー９０の端部を戸体２４の第１通気孔４２ａから引き出す。次に、アウターケーブル９８の操作装置８０側の端部を第２ケーブル固定部材１１０（図２５参照）に固定する。次に、図１５に示すように、ワイヤー９０の開閉装置５８側の端部を開閉装置５８の繋ぎ部材６４に挿通させて、繋ぎ部材６４に繋ぐ。次に、開閉装置５８を戸体２４の収容凹部３８ａ内に配置し、ビス等により戸体２４に固定する。
【０１０７】
この後、操作装置８０のスライド部材８４を第１スライド位置Ｓａ１と第２スライド位置Ｓａ２の間で移動させることにより、開閉装置５８が正しく開閉するか点検する。ここでの正しく開閉する場合とは、次の二つの条件を満たす場合をいう。第１の条件は、スライド部材８４が第１スライド位置Ｓａ１（図２３（ａ）参照）にあるときに、開閉部材６２が通気部材６０を全開させる開位置（図１５参照）にあることである。第２の条件は、スライド部材８４が第２スライド位置Ｓａ２（図２３（ｂ）参照）にあるときに、開閉部材６２が通気部材６０を全閉させる閉位置（図１６参照）にあることをいう。
【０１０８】
開閉装置５８が正しく開閉しない場合、戸体２４の内部でのアウターケーブル９８の二つの固定箇所間での配索経路長を調整する。ここでの二つの固定箇所とは、第１ケーブル固定部材１０４と第２ケーブル固定部材１１０に対してアウターケーブル９８が固定される箇所をいう。この二つの固定箇所間でのアウターケーブル９８の配索経路長を長くすると、ワイヤー９０による開閉部材６２の吊り下げ位置が高くなり、その配索経路長を短くすると、ワイヤー９０による開閉部材６２の吊り下げ位置が低くなる。
【０１０９】
この配索経路長を長くするためには、図２６に示すように、アウターケーブル９８の操作装置８０側の端部に対する第１調整ナット９８ｆ及び第２調整ナット９８ｇの螺合位置がアウターケーブル９８の先端９８ｈに近づくように調整する。この配索経路長を短くするためには、図２５に示すように、アウターケーブル９８の操作装置８０側の端部に対する第１調整ナット９８ｆ及び第２調整ナット９８ｇの螺合位置がアウターケーブル９８の先端９８ｈから離れるように調整する。
【０１１０】
スライド部材８４が第１スライド位置Ｓａ１にあっても、開閉部材６２が通気部材６０を完全に開けない場合を考える。この場合、ワイヤー９０による吊り下げ位置を高くするため、前述の配索経路長を長くし、完全に開けるようにする。スライド部材８４が第２スライド位置Ｓａ２にあっても、開閉部材６２が通気部材６０を完全に閉じれない場合を考える。この場合、ワイヤー９０による吊り下げ位置を低くするため、前述の配索経路長を短くし、完全に閉じれるようにする。これにより、開閉装置５８が正しく開閉できるように、戸体２４の内部でのワイヤー９０の配索経路を調整できる。この調整作業は、戸体２４の点検孔１０６から作業者が手指や工具を差し込んで行われる。
【０１１１】
次に、障子１４の他の構成を説明する。
図４、図２２に示すように、戸体２４は、更に、戸体２４の内部に配置される遮炎部材１００を有する。遮炎部材１００は、火災時において、戸体２４の点検孔１０６や取付孔２４ｈから戸体２４の内部に入り込む炎の広がりを防止するためのものである。本実施形態の遮炎部材１００は、戸体２４の幅方向Ｙ内側への炎の広がりを防止することを想定している。これを実現するため、遮炎部材１００は、戸体２４の内部空間を幅方向Ｙに隔てる第１遮炎壁部１００ａと、第１遮炎壁部１００ａの見込方向Ｘの側端部から幅方向Ｙの外側に延びる一対の第２遮炎壁部１００ｂとを有する。遮炎部材１００は、第１遮炎壁部１００ａと一対の第２遮炎壁部１００ｂとが溝状断面を形成している。
【０１１２】
図４に示すように、戸体２４は、更に、戸体２４の内側に配置される補強部材１１２を有する。補強部材１１２は、戸体２４の戸当たりとの当接箇所周りを補強するためのものであり、戸体２４の室外側表面板３６の戸当たりとの当接位置の裏側に配置される。ここでの戸当たりとは、戸体２４と当接することにより、戸体２４の開き方向での動作範囲を制限するためのものであり、室外空間２０に露出する床面や壁面に固定される。補強部材１１２は、取付枠体３８より戸先側であって、フィルタ収容室４６より上側に配置される。本実施形態の補強部材１１２は、溝形の断面形状をもつ長尺体であり、接着、溶接等により框体３２に固定される。
【０１１３】
戸体２４は、室外側表面板３６の第２主板部３６ａの裏側に取り付けられる防音材（図示せず）を有する。防音材は、取付枠体３８、遮炎部材１００、補強部材１１２を避けた箇所に取り付けられる。防音材は、たとえば、水酸化アルミコア等のハニカム構造体である。
【０１１４】
（第２の実施の形態）
図２７は、第２実施形態の障子１４を図７と同様の視点から見た図である。第２実施形態の障子１４は、第１実施形態と比べて、第１フィルタ２６に関連する構成が異なる。第１フィルタ２６は、第１実施形態と同様、戸体２４の幅方向Ｙに長い長尺体となる押出成形品である。第１フィルタ２６は、戸体２４の通気路４２の第２通気孔４２ｂを覆う覆い部２６ｅと、覆い部２６ｅに形成された複数の第１通気穴２６ｄとを有する。覆い部２６ｅは、戸体２４の幅方向Ｙに長尺な板状をなす。覆い部２６ｅは、戸体２４の四辺の外周面のうちの下面２４ｄに重ね合わせた状態で接触する。本実施形態の第１フィルタ２６は、ビス等の接続具２７により第１フィルタ２６の覆い部２６ｅと戸体２４を接続することで、戸体２４の下面２４ｄに着脱可能に取り付けられる。
【０１１５】
以上の構成によれば、第１フィルタ２６が戸体２４の外周面のうちの下面２４ｄに取り付けられているため、戸体２４の内部から第１フィルタ２６を出し入れするための出入口や、その出入口を塞ぐ蓋が不要となる。また、戸体２４が閉位置にあるとき、戸体２４の見込方向Ｘの室内側面２４ｃや室外側面に第１フィルタ２６を取り付ける場合と比べて、戸体２４を見込方向Ｘに見て第１フィルタ２６が見え難くなる。これらが相まって、良好な意匠性を得られる。
【０１１６】
また、第１フィルタ２６は着脱可能に戸体２４に取り付けられる。よって、戸体２４から第１フィルタ２６を取り外すことで、第１フィルタ２６のメンテナンス時の作業性が良好になる。また、第１フィルタ２６は押出成形品であるため、第１実施形態の（Ａ）と同様の効果を得られる。
【０１１７】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して説明しているが、そのような表記のない内容に設計変更が許容されないわけではない。また、図面の断面に付したハッチングは、ハッチングを付した対象の材質を限定するものではない。
【０１１８】
障子１４は、単数の戸体２４を有する例を説明した。この他にも、障子１４は、複数の戸体２４を有してもよい。この場合、障子１４は、たとえば、複数の戸体２４をヒンジ軸を介して連結した折戸でもよい。この場合も、複数の戸体２４のそれぞれは、回動軸３０を介して建具枠１２に連結され、その回動軸３０周りの回動を伴い外開き可能にしてもよい。また、障子１４は、戸体２４が外開き可能な開き戸である例を説明したが、戸体２４が内開き可能な開き戸でもよい。また、障子１４は、開き戸を例に説明したが、単数又は複数の戸体２４を有する引き戸でもよい。
【０１１９】
戸体２４の出入口２４ｅは、戸体２４の外周面に形成されていればよく、戸体２４の戸先側側面２４ｆの他にも上面、下面、戸尻側側面に形成されてもよい。
【０１２０】
第１実施形態の第１フィルタ２６は蓋２８とは別部材により構成され、蓋２８に固定されることで蓋２８と一体に設けられる例を説明した。この他にも、第１フィルタ２６と蓋２８とを同部材により構成することで、第１フィルタ２６と蓋２８を一体に設けるようにしてもよい。
【０１２１】
第１実施形態の第１フィルタ２６は、蓋２８とは別部材により構成される場合に、蓋２８に固定される例を説明したが、蓋２８に固定されていなくともよい。各実施形態の第１フィルタ２６は押出成形品である例を説明したが、メッシュフィルタ等でもよい。第１フィルタ２６の第１通気穴２６ｄの大きさは、虫を捕捉可能な大きさに設定される例を説明した。これに限られず、塵埃等を捕捉可能な大きさに設定されてもよい。
【０１２２】
蓋２８は、戸体２４に着脱可能に固定される例を説明したが、戸体２４に固定されていなくともよい。
【０１２３】
第２実施形態の第１フィルタ２６は、戸体２４の外周面に取り付けられていればよい。第１フィルタ２６は、戸体２４の下面の他に、戸体２４の上面、戸先側側面２４ｆ、戸尻側側面の何れかに取り付けられていてもよい。
【０１２４】
通気路４２は、その第１通気孔４２ａや第２通気孔４２ｂの形成箇所に関して特に限られない。たとえば、戸体２４の二つの見込面のうちの一方に第１通気孔４２ａを形成し、他方に第２通気孔４２ｂを形成してもよい。
【０１２５】
取付枠体３８は専用の下枠材３８Ｂを有する例を説明したが、下框材３２Ｂが取付枠体３８の第２下枠材を兼ねていてもよい。
【０１２６】
操作装置８０により操作される被操作装置として開閉装置５８を例に説明した。被操作装置は、戸体２４に組み込まれ、複数の状態を切り替え可能に動作するものであればよい。被操作装置は、たとえば、施錠状態と施錠解除状態を切り替え可能な錠装置等でもよい。
【０１２７】
ワイヤー９０は操作力を伝達するための伝達部材の一例として説明した。伝達部材はワイヤー等の可とう性を持つ索状体の他にロッド等の軸状体でもよい。
【０１２８】
以上の実施形態、変形例により具体化される発明を一般化すると、以下の技術的思想が導かれる。以下、発明が解決しようとする課題に記載の態様を用いて説明する。
【０１２９】
第２態様の障子は、第１態様において、前記戸体は、その幅方向の一端部が回動軸を介して前記建具枠に連結され、前記回動軸周りの回動を伴い開閉可能であり、前記出入口は、前記戸体の外周面のうちの幅方向の他端部の側面に形成されてもよい。
この態様によれば、戸体が隔てる二つの空間のうちの一方の空間から離れた箇所を、戸体の出入口を通してフィルタを出し入れするための作業空間にできる。よって、フィルタの出し入れに伴いフィルタに付いた塵埃が飛散しても、その一方の空間での塵埃の堆積を防止できる。
【０１３０】
第３態様の障子は、第１又は第２態様において、前記出入口を塞ぐ蓋を備え、前記フィルタは、前記蓋と一体に設けられてもよい。
この態様によれば、蓋の着け外しと同時にフィルタを出入口から出し入れできるようになり、フィルタのメンテナンス時の作業性が良好になる。
【０１３１】
第４態様の障子は、第３態様において、前記フィルタは、前記幅方向に長い長尺体であり、その長手方向の端部が前記蓋に固定されてもよい。
この態様によれば、フィルタの長手方向の向きに関する組み違いを防止でき、その組み違いに起因する不具合を防止できる。
【０１３２】
第５態様の障子は、第１から第４態様のいずれかにおいて、前記出入口を塞ぐ蓋を備え、前記蓋は、蓋本体と、前記蓋本体を前記出入口から引き出す方向の操作力を受けて前記蓋本体に伝達可能に設けられる操作部材と、を有してもよい。
この態様によれば、操作部材をつまみとして利用することで、戸体の出入口から蓋本体を引き出す作業をし易くなる。
【０１３３】
第６態様の障子は、第５態様において、前記操作部材は、前記蓋本体の外面からの突出量を調整可能に構成されてもよい。
この態様によれば、フィルタのメンテナンス時に操作部材の突出量を大きくすることで、操作部材を摘みやすくなる。また、フィルタのメンテナンスの完了後、操作部材の突出量を小さくすることで、操作部材と周辺構造物との干渉を避けられる。
【０１３４】
第７態様の障子は、第５又は第６態様において、前記操作部材は、前記蓋本体を前記戸体に締結するための締結具であってもよい。
この態様によれば、操作部材の機能として、蓋本体を戸体に固定する機能を持たせつつ、つまみとしての機能も持たせることができる。このため、それぞれの機能を別部品で実現するより部品点数を抑えられる。
【０１３５】
第８態様の障子は、第１から第７態様のいずれかにおいて、前記フィルタは、前記通気路を仕切る仕切壁部と、前記仕切壁部に形成される複数の通気穴とを有する押出成形品であってもよい。
この態様によれば、複数種の幅寸法が異なる戸体との間で単数種のフィルタを共用でき、管理すべき部品点数を抑えられる。
【０１３６】
第１０態様の障子は、第１から第９態様のいずれかにおいて、前記通気路は、前記戸体の見込方向の一方側に臨む側面に形成され、前記見込方向の一方側の空間との間で空気が出入り可能な第１通気孔と、前記戸体の外周面に形成され、前記見込方向の他方側の空間との間で空気が出入り可能な第２通気孔と、を有してもよい。
【０１３７】
上述の障子１４には、以下の項目に記載の発明が含まれている。
（項目１）
戸体に組み込まれる被操作装置を操作するための操作装置であって、
ベース部材と、
前記ベース部材に対してスライド可能に支持され、そのスライドに連動して前記被操作装置の状態を切り替え可能なスライド部材と、
前記スライド部材のスライドをロックするロック状態と、前記スライド部材のスライドを許容するロック解除状態とを切り替え可能なロック機構と、を備える操作装置。
（項目２）
前記スライド部材は、第１スライド位置と第２スライド位置の間をスライドすることで前記被操作装置の状態を切り替え、
前記ロック機構は、前記ロック状態から前記ロック解除状態に切り替えるときに押圧される押圧面を有し、
前記押圧面は、前記第２スライド位置から前記第１スライド位置に向かう方向に臨んでいる項目１に記載の操作装置。
（項目３）
前記スライド部材は、第１スライド位置と第２スライド位置の間をスライドすることで前記被操作装置の状態を切り替え、
前記ロック機構は、前記スライド部材に対して移動可能に支持され、前記ロック状態になるロック位置と、前記ロック解除状態になるロック解除位置との間を移動可能なロック部材を有し、
前記ロック機構は、前記スライド部材が前記第２スライド位置にあり、かつ、前記ロック位置に前記ロック部材がある場合、前記第２スライド位置から前記第１スライド位置に向かう外力により前記ロック部材が前記ロック解除位置にガイドされるように構成される項目１または２に記載の操作装置。
【符号の説明】
【０１３８】
１０…建具、１２…建具枠、１４…障子、２４…戸体、２４ｅ…出入口、２６…フィルタ（第１フィルタ）、２６ｂ…仕切壁部、２６ｄ…第１通気穴、２８…蓋、２８ａ…蓋本体、２８ｅ…外面、３０…回動軸、４２…通気路、５２…第１締結具（操作部材）。
【図１】
2018111932.tif 000003
【図２】
2018111932.tif 000004
【図３】
2018111932.tif 000005
【図４】
2018111932.tif 000006
【図５】
2018111932.tif 000007
【図６】
2018111932.tif 000008
【図７】
2018111932.tif 000009
【図８】
2018111932.tif 000010
【図９】
2018111932.tif 000011
【図１０】
2018111932.tif 000012
【図１１】
2018111932.tif 000013
【図１２】
2018111932.tif 000014
【図１３】
2018111932.tif 000015
【図１４】
2018111932.tif 000016
【図１５】
2018111932.tif 000017
【図１６】
2018111932.tif 000018
【図１７】
2018111932.tif 000019
【図１８】
2018111932.tif 000020
【図１９】
2018111932.tif 000021
【図２０】
2018111932.tif 000022
【図２１】
2018111932.tif 000023
【図２２】
2018111932.tif 000024
【図２３】
2018111932.tif 000025
【図２４】
2018111932.tif 000026
【図２５】
2018111932.tif 000027
【図２６】
2018111932.tif 000028
【図２７】
2018111932.tif 000029